(57)【要約】【課題】見やすく操作しやすい操作部を有したものとする。【解決手段】通電したワークコイル１４からの電磁誘導によりトッププレート１３上の被発熱調理体１を発熱させて調理を行う電磁誘導加熱コンロにおいて、コンロ器体１２の前部に少なくとも調理の開始および終了の操作を行う操作部１０７を有した操作面１０１を水平または傾斜したほぼ上向きの状態に設けることにより、上記の目的を達成する。【選択図】　図１
2004039356.tif 000002
【特許請求の範囲】
【請求項１】
通電したワークコイルからの電磁誘導によりトッププレート上の被発熱調理体を発熱させて調理を行う電磁誘導加熱コンロにおいて、
コンロ器体の前部に少なくとも調理の開始および終了の操作を行う操作部を有した操作面を水平または傾斜したほぼ上向きの状態に設けたことを特徴とする電磁誘導加熱コンロ。
【請求項２】
操作面は段差または前記傾斜によってトッププレートよりも低く設けた請求項１に記載の電磁誘導加熱コンロ。
【請求項３】
操作面の内側に設けた操作制御系の回路を搭載した操作制御系回路基板とトッププレートの下に設けたワークコイルの駆動制御系の回路を搭載した駆動制御系回路基板とを１つの回路基板で形成した請求項１、２のいずれか１項に記載の電磁誘導加熱コンロ。
【請求項４】
操作制御系回路基板と駆動制御系回路基板とは平板状にまたは途中折れ曲がり部を持って連続している請求項３に記載の電磁誘導加熱コンロ。
【請求項５】
操作制御系回路基板上のスイッチとこれに対応する操作面上の操作部とが直近で内外方向に対向し合っている請求項４記載の電磁誘導加熱コンロ。
【請求項６】
ワークコイルを複数設け、駆動制御系回路基板はワークコイルごとに形成して上下に配置し、最上段の駆動制御系回路基板と操作制御系回路基板とを１つの回路基板で形成した請求項１〜５のいずれか１項に記載の電磁誘導加熱コンロ。
【請求項７】
ワークコイルを複数設け、駆動制御系回路基板はワークコイルごとの駆動制御系回路を有して前記操作制御系回路基板と１つの回路基板で形成した請求項１〜５のいずれか１項に記載の電磁誘導加熱コンロ。
【請求項８】
表示部をコンロ器体の前部の縦壁部に設け、表示部内側の表示部品をほぼ水平で一体な操作制御系回路基板および駆動制御系回路基板から表示部の内側まで立ち上げて設けた請求項１〜７のいずれか１項に記載の電磁誘導加熱コンロ。
【請求項９】
コンロ器体の前面部に操作面と並ぶ開閉口を有したグリル部を備え、このグリル部は前記操作面とほぼ面一に並ぶ面を有する前部形状を持ち、操作面と面一な面を利用したほぼ上向きの窓を少なくとも有している請求項１〜８のいずれか１項に記載の電磁誘導加熱コンロ。
【請求項１０】
前記ほぼ上向きの窓はグリル部の前部形状がなす縦向き壁にも及んで設けてある請求項９に記載の電磁誘導加熱コンロ。
【発明の詳細な説明】
【０００１】
【発明の属する技術分野】
本発明は、通電したワークコイルの電磁誘導作用を利用して被発熱調理体を発熱させて、被調理物を加熱調理する電磁誘導加熱コンロに関するものである。
【０００２】
【従来の技術】
電磁誘導加熱コンロは、厨房の流し台に組み込んだビルトインタイプのものや、流し台などのワークトップの上などに置いて使用する載置タイプのものが提供されている。いずれの電磁誘導加熱コンロも、上面はバーナや五徳などがなく平滑なガラス質のトッププレートで上面を覆っただけである。また、操作パネルも近時の電気機器の場合同様にほとんどが、操作つまみやスイッチ操作部などの飛び出しのない平滑なものである。これらによって、全体形状は凹凸のない薄型の箱形状をなし、すっきりした高品質機器の外観を呈している。
【０００３】
【発明が解決しようとする課題】
ところで、操作パネルは調理の邪魔にならない、また、調理の際に誤操作されにくいコンロ器体の前面に設けられている。コンロ器体の上記形態から前面に設けられる操作パネルは垂直になっている。このため、操作パネルは少し離れたところからは見やすいが近くからは見にくいし操作しにくい。
【０００４】
しかも、平滑な操作パネルの操作部は、操作摘みやスイッチ操作部材などの突出した操作部が設けられず、押圧操作するものが主流をなしている。このような押圧操作は多くの人にとって最も自在に使える人差し指で行おうとするのが普通である。人差し指だと他の指を握った状態にして操作パネルの他の部分を見やすくしても操作の自在度は高い。しかし、操作パネルは人の腰の高さ程度以下に位置していることもあって、腰をかがめて操作パネルを覗き込みながら行うか、操作パネルから離れて腕を伸ばして行うかする不自由な操作となる上、近くからは特に、人差し指では操作面に直角な方向の力が入りにくく、操作しにくい。押圧操作しやすい親指を使うと操作が不自由な上に、親指以外は握った状態にして操作パネルの他の部分が手に隠れるのを防止すると自在度が勢い低下して操作しにくくなる。
【０００５】
近時では多機能化のために操作部が多くなっているし、タイマ機能などの数値設定や火力調節といった繰り返し操作を行うなど、加熱調理を行うための操作回数および操作位置が多数に亘ることがあり、誤操作の原因にもなる。従って、前記のような操作の不便を解消することが望まれる。
【０００６】
本発明の目的は、見やすく操作しやすい操作部を有した電磁誘導加熱コンロを提供することにある。
【０００７】
【課題を解決するための手段】
本発明の電磁誘導加熱コンロは、通電したワークコイルからの電磁誘導によりトッププレート上の被発熱調理体を発熱させて調理を行う電磁誘導加熱コンロにおいて、コンロ器体の前部に少なくとも調理の開始および終了の操作を行う操作部を有した操作面を水平または傾斜したほぼ上向きの状態に設けたことを主たる特徴としている。
【０００８】
このような構成では、操作面での操作によって、ワークコイルに通電して被発熱調理体をワークコイルからの電磁誘導によって発熱させ加熱調理を行うが、前記操作面がコンロ器体の前部に水平または傾斜してほぼ上向きの状態にあることにより、コンロ器体の直前に立つ調理者はその場で見下ろすだけで操作面を十分に視認して必要な操作部の選択および操作位置の確認が容易かつ確実にできる上、自由度の高い人差し指で力の逃げなく容易かつ確実に押圧などの操作をすることができる。これらによって誤操作も防止できる。
【０００９】
操作面を、段差または前記傾斜によってトッププレートよりも低く設けた、さらなる構成では、
被発熱調理体がコンロ器体の輪郭部の外まわりから被発熱調理体が、平坦なトッププレートに沿って載せられたり持ち運ばれたりすることがあっても、トッププレートの下に操作面が位置していることによって前記のように載置され持ち運ばれることがある被発熱調理体に触れて損傷したり故障するようなことを回避することができる。
【００１０】
操作面の内側に設けた操作制御系の回路を搭載した操作制御系回路基板とトッププレートの下に設けたワークコイルの駆動制御系の回路を搭載した駆動制御系回路基板とを１つの回路基板で形成した、さらなる構成では、
トッププレートよりも前方に位置する操作面の内側に位置する操作制御系回路基板とワークコイルの駆動制御系回路基板とを１つの回路基板で形成していることより、２種類の回路基板を１つの回路基板として生産し、取り扱い、組み付けることができ製品のコストを低減することができる。また、このような回路基板の一体化は駆動制御系回路基板部分が在来のものと同じ大きさおよび形状のものとしてトッププレートよりも前方に張り出して位置する操作面の内側に位置する操作制御系回路基板の側に、つまりコンロ器体の前部側に寄ることになって、コンロ器体の後部に空きスペースを作るので、電磁誘導加熱コンロに必須の発熱素子などのための冷却機構を設けやすい設計ができる。
【００１１】
操作制御系回路基板と駆動制御系回路基板とが平板状にまたは途中折れ曲がり部を持って連続している、さらなる構成では、
薄型の箱形状とされるコンロ器体内に水平に配置されることの多い大きくなりがちな駆動制御系回路基板に対し、操作面が水平であっても、傾斜していても対応することができ、操作パネルが水平であると操作制御系回路基板と駆動制御系回路基板とは単純な平板状の１枚の回路基板にて構成できる。途中折れ曲がり部を有したものでは操作面がコンロ器体の見やすく操作しやすい前部の上部側に設けられるようなことに適する上、組み付け時に切り込みや切り目などに沿って途中を折り曲げるなどして容易に対応しやすく、このような折れ曲がりによってもジャンパー配線やフレキシブル配線などしておくことで回路基板間の断線の問題を回避することができる。
【００１２】
操作制御系回路基板上のスイッチとこれに対応する操作面上の操作部とが直近で内外方向に対向し合っている、さらなる構成では、
操作面に直角な方向からの最も簡単で力を掛けやすい操作部の押圧操作を、この操作部の内側直近にあるスイッチに対し小さなストロークで、しかも前記押圧操作方向に一致する内外方向での対向関係により力の逃げなく確実に伝達するので、操作不足や操作不良が生じにくく容易かつ着実にスイッチ操作をすることができる。
【００１３】
ワークコイルを複数設け、駆動制御系回路基板はワークコイルごとに形成して上下に配置し、最上段の駆動制御系回路基板と操作制御系回路基板とを１つの基板で形成した、さらなる構成では、
ワークコイルが複数あるのに対応して、それぞれに個別の駆動制御系回路を形成することにより、複数の駆動制御系回路基板を上下に集約配置することにより、複数のワークコイルを設けることにより必要な駆動制御系回路基板の平面スペースを複数分の１に低減するとともに、発熱素子等の冷却に必要なスペースも小さく集約させることにより、ワークコイルの下に空きスペースを作って、グリルなどの他の調理スペースをコンロ器体の大型化なしに設けやすくすることができる。また、操作制御系回路基板を平面スペースが複数分の１と小さくなった１つの駆動制御系回路基板とで１つの回路基板とするので、操作制御系回路基板が水平に配置される場合でもコンロ器体の平面スペースを大型化する原因にはならないし、操作制御系回路基板と１つの回路基板にする駆動制御系回路基板は最上段のものであることにより、操作面がコンロ器体前部の見やすく操作しやすい上部側に設けられても対応することができる。
【００１４】
ワークコイルを複数設け、駆動制御系回路基板はワークコイルごとの駆動制御系回路を有して前記操作制御系回路基板と１つの回路基板で形成した、さらなる構成では、
例えば１つのワークコイル分の駆動制御系回路を搭載した駆動制御系回路基板を操作制御系回路基板と１つの回路基板で形成することにより、コンロ器体のトッププレートよりも前方に位置する操作面の側に寄って位置することになり、従来通りの大きさのトッププレートを有したコンロ器体であってもその後部に空きスペースを形成することができ、この空きスペース分を加えて残りのワークコイル１つまたはそれ以上分の駆動制御系回路も搭載でき、つまり、複数のワークコイル分の駆動制御系回路を操作制御系回路とともに１つの回路基板に搭載して、その下に空きスペースを作ることができ、これの冷却構造やトッププレート上からの漏水処理構造などを設けやすいし、設計の自由度を高めることができる。
【００１５】
表示部をコンロ器体の前部の縦壁部に設け、表示部内側の表示部品をほぼ水平で一体な操作制御系回路基板および駆動制御系回路基板から表示部の内側まで立ち上げて設けた、さらなる構成では、
ほぼ上向きの操作面に対し一部ないしは全体の表示部がコンロ器体の前部の縦壁部に設けられると、操作面と表示部とが区別して視認されるので、操作部と表示部で複雑で見にくくなりがちな多機能機種での操作面が視認しやすく操作しやすいものとなるし、ほぼ上向きの操作面に対して表示部が縦向き壁に設けるため互いが立体配置になって操作面を操作するのに表示が隠れにくく、見やすい。これらのため、さらに操作しやすく誤操作されにくい。
【００１６】
コンロ器体の前面部に操作面と並ぶ開閉口を有したグリル部を備え、このグリル部は前記操作面とほぼ面一に並ぶ面を有する前部形状を持ち、操作面と面一な面を利用したほぼ上向きの窓を少なくとも有している、さらなる構成では、
ほぼ上向きの操作面を有しながら、これにグリルの窓部が面一となってすっきりした外観を呈するとともに、操作面同様にほぼ上向きな窓を少なくとも有していることにより、単に縦壁部に設けられる窓の場合に比して、窓の真下はもとより奥側でも斜め上方から容易に視認でき、窓が縦向き壁、特に後部上向きの縦壁部にも及んで広がっていることにより、内部の最奥部を含む広域、全域がより死角なくさらに視認しやすくなる。
【００１７】
本発明のそれ以上の目的および特徴は、以下の詳細な説明および図面の記載によって明らかになる。本発明の各特徴は、それ自体単独で、あるいは可能な限り種々な組合せで複合して採用することができる。
【００１８】
【実施例】
以下、本発明の幾つかの実施例について図１〜図１２を参照して説明し本発明の理解に供する。以下の説明は本発明の具体例を示すものであって、特許請求の範囲の記載を限定するものではない。
【００１９】
本実施例の電磁誘導加熱コンロは、図１、図２に示す例、図３に示す例、図４、図５に示す例、図６、図７に示す例、図８〜図１１に示す例、図１２に示す例のように、トッププレート１３の下にワークコイル１４を備え、トッププレート１３上に置かれた被発熱調理体である鍋１などをワークコイル１４からの電磁誘導作用を利用して発熱させ、その鍋１に入れられた魚や肉、野菜などの被調理物２を加熱し調理をする。なお、被発熱調理体としてはプレートタイプやパンタイプ、ポットタイプ等、電磁調理が可能なものであれば他の調理具でもよく、図１に示すように蓋１ａ付きのもの、あるいは蓋のないもの、蓋があってもそれを用いない使用、蓋のないものでも適当な蓋を用いる使用も可能である。
【００２０】
ワークコイル１４は図８〜図１１に示す例では３つ設けてある以外、２つ併置してある。コンロ器体１２内にはワークコイル１４を駆動制御するため図１１で代表して示すように、個々の駆動制御系回路２０ａを設け、操作パネル全体の動作制御用の制御回路９を通じ個々に駆動制御する。なお、制御回路は給電ラインを一本に省略し、本例で特徴あるＡＣ２００ＶをＡＣ１００Ｖに変換する部分以外の電源回路を省略して示してある。ワークコイル１４からの電磁作用は距離の２乗に反比例するので、できるだけトッププレート１３の下面に密着させてトッププレート１３の上に置かれる鍋１などの被発熱調理体との距離が大きくならないように配慮している。トッププレート１３上で直接に鍋１などによる焼き物、煮炊き、揚げ物など各種の調理が行われ、煮汁などの吹きこぼれを受けたり、水などがこぼされたりすることがあるので、コンロ器体１２とトッププレート１３との間はシール材２２を挟み込んでシールしてコンロ器体１２内に水気や湿気が侵入しないようにしている。
【００２１】
また、駆動制御系回路２０ａを搭載した駆動制御系回路基板２０には図１に代表して示すように、ワークコイル１４に所定の高周波電流を与えるためのＩＧＢＴ素子１８等が発熱素子であるのを冷却するヒートシンク１９を設けて、これらをファン２１からの送風によって冷却するようにしてある。コンロ器体１２の底部や周壁、天板などの適当な壁面に吸気口１１６ａと排気口１１６ｂとを設けて、前記ファン２１の駆動によって外気を吸引して、図１に示す実線の矢印のようにヒートシンク１９に向けて送風し冷却した後外部に排気するようにしてあり、コンロ器体１２内には特別なガイドを設けたりあるいは設けないで冷却通路２６を形成している。駆動制御系回路基板２０は一種の送風ガイドとして役立つ。吸気口１１６ａはコンロ器体１２の前部の操作面１０１から下の縦向き壁に形成してもよい。これにより、清掃、フィルタの交換などの手入れがしやすいし、ゴミを吸い込みにくい利点がある。
【００２２】
また、図１の例で代表して示すように、ワークコイル１４の中央位置にはトッププレート１３の裏面に接触した温度検知手段としての温度センサ８が設けられ、鍋１などの温度を検出して前記制御回路９に入力することによって、その時々の調理実温度、実際には鍋１などの被加熱調理体の実温度から調理の進行状態をモニタし、またこのモニタ結果によって調理の進行状態を種々に制御できるようにしている。コンロ器体１２にはさらに前部の左右の一方側、具体的には左側に開閉口１０２を有したグリル部１０３を設けてあり、コンロ器体１２の前部の開閉口１０２のない部分を利用して操作パネル１０を持った操作面１０１を設けてある。操作パネル１０は個々のワークコイル１４のそれぞれを独立に同じモードで、あるいは異なったモードを含むか持つかして動作させるようにするが、図７、図１２に示す例以外のもののように動作対象コイルごとに独立して、あるいは個別表示の有無を含んで図７、図１２に示す例のように一連に設けるかすることができ、その具体的な表示の態様は特に問わない。また、グリル部１０３の操作面部を図７で示す例の操作パネル１４６のように含んでもよいし、図２、図９に示す例のようにグリル部１０３に専用の操作パネル１０４を設けてもよい。いずれの操作パネル１０、１０４、１４６も各ワークコイル１４やグリル部１０３の図１１で代表して示すヒータ１０５などをオン、オフする、つまり調理を開始し、終了させる図１、図３で代表して示すオン、オフスイッチ１０６をオン、オフ操作するキー１０７を有している。図２に示す例ではグリル部１０３の操作パネル１０４はコンロ器体１２の前面の開閉口１０２の上部に設けてある。図９の例では開閉口１０２と一連の操作パネル１０との間に、操作パネル１０と一連に並んで設けてある。
【００２３】
以上によって、どの実施例においても、複数のワークコイル１４およびヒータ１０５につき、それぞれに対応する操作パネル１０、１０４、１４６におけるキー１０７などのオン、オフ操作により、同時にあるいは異時にオン、オフさせて、各ワークコイル１４の電磁誘導作用による、あるいはヒータ１０５の加熱による加熱調理を開始し、また動作を停止させて加熱調理を終了することが自由にできる。
【００２４】
ここに、キー１０７はヒータ１０５をオン、オフ操作するものを除き、電磁誘導加熱コンロにおいて少なくとも調理の開始および終了の操作を行う操作部を有することを満足しており、これを設けた操作面１０１はいずれの実施例においてもほぼ上向きの状態に設けてある。このような操作面１０１での操作によって、ワークコイル１４に通電して鍋１などの被発熱調理体をワークコイル１４からの電磁誘導作用によって発熱させ加熱調理を行うことができる。特に、操作面１０１がコンロ器体１２の前部でほぼ上向きの状態にあることにより、コンロ器体１２の直前に立つ調理者はその場で見下ろすだけで操作面１０１を十分に視認して必要な操作部の選択および操作位置の確認が容易かつ確実にできる。しかも、自在度の高い人差し指で力の逃げなく容易かつ確実に押圧などの操作をすることができる。これらによって、戸惑いや混乱無く迅速かつ確実に操作することができる。また、誤操作も防止できる。
【００２５】
図１、図２に示す例、図３に示す例では操作面１０１を水平に設けて上向きになるようにしてあり、図４、図５に示す例、図６、図７に示す例、図８〜図１１に示す例、図１２に示す例では操作面１０１を前方下方へ傾斜させて設けてほぼ上向きとなるようにしてある。
【００２６】
図１、図２に示す例および図３に示す例では、操作面１０１はトッププレート１３に対し段差部１０８を有して、図４、図５に示す例、図６、図７に示す例、図８〜図１１に示す例、図１２に示す例では、前記傾斜によって、いずれもトッププレート１３よりも低く設けてある。これにより、鍋１がコンロ器体１２の平面視した輪郭部の外まわりから鍋１が平坦なトッププレート１３に沿って載せられたり持ち運ばれたりすることがあっても、トッププレート１３の下に操作面１０１が位置していることによって前記のように載置され持ち運ばれることがある鍋１などの被発熱調理体に触れて損傷したり故障するようなことを回避することができる。
【００２７】
また、いずれの実施例でも、操作面１０１の内側に設けた操作制御系の回路を搭載した操作制御系回路基板１１１とトッププレート１３の下に設けたワークコイル１４の駆動制御系の回路２０ａを搭載した駆動制御系回路基板２０とを１つの回路基板１１２で形成してある。ほぼ上向きであるためにトッププレート１３よりも前方に位置した操作面１０１の内側に位置する操作制御系回路基板１１１とワークコイル１４の駆動制御系回路基板２０とを１つの回路基板１１２で形成していることより、２種類の回路基板１１１、２０を１つの回路基板１１２として生産し、取り扱い、組み付けることができる。従って、製品のコストを低減することができる。また、このような回路基板１１２への一体化は駆動制御系回路基板２０の部分が在来のものと同じ大きさおよび形状のものとしてトッププレート１３よりも前方に張り出して位置する操作面１０１の内側に位置する操作制御系回路基板１１１の側に、つまりコンロ器体１２の前部側に寄ることになる。これによって、図１、図２の例のようにコンロ器体１２の後部に空きスペース１１３を作れる。しかも、大きく作れる。従って、電磁誘導加熱コンロに必須のＩＧＢＴ１８といった発熱素子などのための冷却機構を設ける設計自由度が高くなる。また、空きスペース１１３は、図１に示す例のように実線の矢印で示す冷却後の排気１１４と、グリル部１０３からの破線で示す高温の排気１１５とを混合して排気１１５を低温化して排気口１１６から排気するような特別な排気経路を設けるのにも便利である。さらに、空きスペース１１３は図１、図３、図４および図６に示す各例のようにトッププレート１３上に吹きこぼれたり、流れ出したり、落とされた水などの液体を集水する集水ポケット１１７を設けるのに、集水ポケット１１７に集水した水などを図示しない受水皿に導いて貯留し、受水皿を引き出すことにより水を廃棄できる構造の採用や、集水ポケット１１７の水をグリル部１０３からの高温排気１１５やヒータ１０５や他のヒータないしは専用のヒータにて乾燥ないしは蒸発させて排気する構造の採用などにも便利である。
【００２８】
操作制御系回路基板１１１と駆動制御系回路基板２０とは、図１、図２に示す例、図３に示す例では平板状をなして連続している。また、図４、図５に示す例、図６、図７に示す例、図８に示す例では１カ所に途中折れ曲がり部１２１を持って連続している。このように操作制御系回路基板１１１と駆動制御系回路基板２０とが一体に連続していると、薄型の箱形状とされるコンロ器体１２内に水平に配置されることの多い大きくなりがちな駆動制御系回路基板２０に対し、操作面１０１が水平であっても、傾斜していても対応することができ、操作面１０１が水平であると制御系回路基板１１１と駆動制御系回路基板２０とは平板状をなすなどの単純な１枚の回路基板にて構成できる。途中折れ曲がり部１２１を有したものでも操作面１０１がコンロ器体１２の見やすく操作しやすい前部の上部側に設けられることに適している。また、途中折り曲げ部１２１を有していても、平板状の回路基板１１２を組み付け時に切り込みや切り目などに沿って途中を折り曲げるなどして容易に対応しやすい。このような折れ曲がりによっても電子部品などの搭載時にワイヤボンディングを施すなどしたとともにジャンパー線１２３、あるいはフレキシブル配線などにて途中折れ曲がり部１２１による回路の断線の問題を回避することができる。図１２に示す例では操作制御系回路基板１１１と駆動制御系回路基板２０とは２カ所の途中折れ曲がり部１２１を持って連続し、それぞれの途中折れ曲がり部１２１においてジャンパー線１２３が設けられている。２カ所の途中折れ曲がり部１２１は図示する回路基板１１２のようにＺ型の形状にするなど立体的な配置が可能となり、狭いコンロ器体１２内での他の機器や各種通路、必要な空間などと共存するための設計の自由度を高められる。途中折れ曲がり部１２１の数と折れ曲がり態様は特に問わない。
【００２９】
図１、図３、図１２で代表して示すように、操作制御系回路基板１１１上のオン、オフなどの各種入力を行うスイッチ１０６とこれに対応する操作面１０１上の操作部としてのキー１０７などとが直近で内外方向、つまり操作面１０１に直角な方向で対向し合うようにしている。これにより、操作面１０１に直角な方向からの最も簡単で力を掛けやすいキー１０７などの押圧操作を、このキー１０７などの内側直近にあるスイッチ１０６に対し小さなストロークで、しかも前記押圧操作方向に一致する内外方向での対向関係により力の逃げなく確実に伝達するので、操作不足や操作不良が生じにくく容易かつ着実にスイッチ操作をして、調理を開始し、また終了することができる。
【００３０】
ワークコイル１４を複数設けていることにつき、図１、図２に示す例では、複数、具体的には２つあるワークコイル１４に対応して駆動制御系回路基板２０を同数形成して、それらを上下に配置し、最上段の駆動制御系回路基板２０と操作制御系回路基板１１１とを１つの回路基板１１２で形成してある。これにより、ワークコイル１４が複数あるのに対応して、それぞれに個別の駆動制御系回路２０ａを形成した複数の駆動制御系回路基板２０を上下に集約配置することにより、複数のワークコイル１４を設けることで必要となる駆動制御系回路基板２０の平面スペースを複数分の１に低減するとともに、ＩＧＢＴ１８といった発熱素子等の冷却に必要なスペースも小さく集約させることにより、特定のワークコイル１４の下に空きスペースを作って、グリル部１０３などの他の調理スペースをコンロ器体１２の大型化なしに設けやすくすることができる。また、操作制御系回路基板１１１を平面スペースが複数分の１と小さくなった１つの駆動制御系回路基板２０とで１つの回路基板１１２とするので、操作制御系回路基板１１１が水平に配置される場合でもコンロ器体１２の平面スペースを大型化する原因にはならないし、操作制御系回路基板１１１と１つの回路基板１１２とする駆動制御系回路基板２０は最上段のものであることにより、操作面１０１が例えば図１、図２に示すようにコンロ器体１２の前部の見やすく操作しやすい上部側に設けられても対応しやすい。
【００３１】
図３に示す例、図４、図５に示す例、図６、図７に示す例では、ワークコイル１４を複数、具体的には２つ設け、駆動制御系回路基板２０は各ワークコイル１４ごとの個別な２つの駆動制御系回路２０ａを有して前記操作制御系回路基板１１１と１つの回路基板１１２で形成してある。例えば、１つのワークコイル１４分の駆動制御系回路２０ａを持った駆動制御系回路基板２０を操作制御系回路基板１１１とともに１つの回路基板１１２で形成すると、駆動制御系回路基板２０が、コンロ器体１２のトッププレート１３よりも前方に位置する操作面１０１の側に寄って位置することになる分、前記のように従来通りの大きさのトッププレート１３を有したコンロ器体１２であってもその後部に前記した空きスペース１１３を形成することができ、この空きスペース１１３分を加えて、残りの、今１つのワークコイル１４分の駆動制御系回路２０ａを搭載することができ、つまり複数のワークコイル１４分の駆動制御系回路２０ａを操作制御系回路１０３とともに１つの回路基板１１２に搭載して、その下に空きスペース１１３ａを大きく作ることができ、回路基板１１２などの冷却構造やトッププレート１３上からの漏水処理構造などを設けやすいし、コンロ器体１２内での設計の自由度を高めることができる。
【００３２】
図８〜図１１に示す例、図１２に示す例では、図８、図９で代表して示すように、３つのワークコイル１４を有し、そのうちの１つを内蔵して着脱できるカセットコンロ１３１を持っている。これに対応して、図８で代表して示すようにコンロ器体１２のカセットコンロ１３１を装着する凹部１３２の下の扁平な空間１３３にコンロ器体１２側に備えた残る２つのワークコイル１４ごとの駆動制御系回路２０ａを１つの駆動制御系回路基板２０に搭載し、コンロ器体１２における凹部１３２および空間１３３の重なり部の左側に配置したワークコイル１４、および、このワークコイル１４と凹部１３２との間の後ろ側に配置したワークコイル１４との配置部下の空間を利用してグリル部１０３を設けてある。
【００３３】
なお、図８〜図１１に示す例ではコンロ器体１２内の駆動制御系回路基板２０およびカセットコンロ１３１内の駆動制御系回路基板２０の双方はいずれも、コンロ器体１２およびカセットコンロ１３１の傾斜してほぼ上向きとなった操作面１０１の内側に配置する操作制御系回路基板１１１と１カ所の途中折れ曲がり部１２１を有して一体な回路基板１１２をなしている。また、コンロ器体１２およびカセットコンロ１３１の双方にファン２１による冷却構造を有し、カセットコンロ１３１の単独使用においても冷却ができるようする。
【００３４】
ここで、各実施例について詳述する。図１、図２に示す例のコンロ器体１２は、既述したように前面部に操作面１０１と並ぶ開閉口１０２を有したグリル部１０３を備えている。このグリル部１０３は図２に示すように前記操作面１０１とほぼ面一に並ぶ面１０３ａを有する前部形状を持っている。この面１０３ａは操作面１０１と面一な面を利用したほぼ上向きの窓１４１を少なくとも有している。このように、ほぼ上向きの操作面１０１を有しながら、これにグリル部１０３の窓１４１部が面一となってすっきりした外観を呈する。また、操作面１０１同様にほぼ上向きな窓１４１を少なくとも有していることによって、従来のように単に縦壁部に設けられる窓の場合に比して、窓１４１の真下はもとより奥側でも斜め上方から容易に視認でき、窓１４１が縦向き壁、特に図２に示すような後部上向きの縦壁部１２ａにも及んで広がっていることにより、内部の最奥部を含む広域、全域がより死角なくさらに視認しやすくなる。操作パネル１０、１０４にはキー１０７などの操作部のほか、液晶表示部１４２やランプ１４３などによる表示部１４４も設けてある。もっとも、これらとは別に表示部を設けてもよい。
また、ランプ１４３などによる表示部１４４はキー１０７などによる操作部の輪郭内や操作部の外側や近傍に、操作を促し、あるいは操作したことを確認させ、あるいは操作により設定されたモード中であることを表示させたりすることができる。
【００３５】
図３に示す例では、操作パネル１０とは別に表示部１４４をコンロ器体１２の前部の縦壁部１２ａにも設け、この表示部１４４の内側の表示部品であるＬＥＤといったランプ１４３などをほぼ水平で一体な操作制御系回路基板１１１および駆動制御系回路基板２０から表示部１４４の内側まで立ち上げて設けてある。図示する例では立ち上がり台１４５を回路基板１１２上に設けた構造としてあるが、具体的な立ち上がり形態は特に問わない。ランプ１４３の回路基板１１２への結線構造を利用してもよい。本例では駆動制御系回路基板２０がコンロ器体１２の前部側に寄ったことによる後方の空きスペース１１３を利用して回路基板１１２を２つのワークコイル１４に対応する駆動制御系回路２０ａを設ける大きなサイズにすると共にファン２１を配置している。
【００３６】
本例のように、ほぼ上向きの操作面１０１に対し一部ないしは全体の表示部１４４がコンロ器体１２の前部の縦向き壁１２ａ部に設けられると、操作面１０１と表示部１４４とが区別して視認されるので、操作面１０１部と表示部１４４で複雑で見にくくなりがちな多機能機種での操作面１０１が視認しやすく操作しやすいものとなるし、ほぼ上向きの操作面１０１に対して表示部１４４が縦向き壁１２ａに設けるため互いが立体配置になって操作面１０１を操作するのに表示が隠れにくく、見やすいために、さらに操作しやすく誤操作されにくい。
【００３７】
図４、図５に示す例では、操作面１０１およびグリル部１０３の窓１４１および操作パネル１０４を有し面１０３ａとが同じ傾斜を持ってほぼ上向きとなる面一状態になっている。これによって、コンロ器体１２の前部形態がさらにすっきりしたものとなっている。
【００３８】
図６、図７に示す例では、コンロ器体１２のほぼ上向きとなった操作面１０１およびグリル部１０３の面１０３ａとの下が、逆な向きの従ってほぼ下向きな傾斜面１２ｂとしてある。操作面１０１には各ワークコイル１４およびグリル部１０３に共通の操作パネル１４６を設けてある。これにより、操作面１０１の操作部が集約して操作制御系回路基板１１１の単一化と配線の簡略化が図れる。
【００３９】
図８〜図１１に示す例では、コンロ器体１２のカセットコンロ１３１を装着するための凹部１３２の底部壁とカセットコンロ１３１の底部壁とに、互いに対向し合う透明窓１７１、１７２を設け、これら透明窓１７１、１７２を通じてコンロ器体１２およびカセットコンロ１３１内の各回路基板１１２上の赤外線送受信器１７３、１７４間で光通信ができるようにしている。これにより、コンロ器体１２およびカセットコンロ１３１間で各種信号を授受する配線を省略することができ、コネクタ１５６はハード面の電気的な接続さえ行えばよい。
【００４０】
また、図１１に示すように、コンロ器体１２側の左ワークコイル１４、後部中央のヒータ１０５と、カセットコンロ１３１の右側ワークコイル１４のそれぞれは２００Ｖ電源１５１から給電して、出力調整が自由かつ細かく行えるインバータ回路１５２を介して駆動することで、最大２ＫＷで出力させられるようにし、カセットコンロ１３１のワークコイル１４については切換スイッチ１５３により２００Ｖ電源に対し変圧器１５０を経た経路で１００Ｖでインバータ回路１５４を介して駆動し、最大１．３ＫＷで出力させる卓上型出力で利用できるようにしてある。さらに、図９に示すように、カセットコンロ１３１はコンロ器体１２から取り外した卓上型使用状態では、それに付属する電源コード１５５を引き出すことにより家庭用１００Ｖ電源に接続して卓上型出力で使用できるようにしている。もっとも、カセットコンロ１３１も２００Ｖ仕様での単独使用ができるものでもよい。
【００４１】
カセットコンロ１３１とコンロ器体１２との間には、カセットコンロ１３１の着脱に際し接続、接続解除となる双方間の電気系コネクタ１５６が設けられている。コンロ器体１２およびカセットコンロ１３１の双方に冷却ファン２１を設けてあるが、双方間にコンロ器体１２側からカセットコンロ１３１内に流れて後、そのまま、あるいは図９に示すようにコンロ器体１２に戻って外部に排出する冷却通路２６を設けてある。これにより、カセットコンロ１３１をコンロ器体１２に装着しているときは、パワー不足がなければどちらかのファン２１を働かせるだけで双方での冷却ができる。カセットコンロ１３１のファンはコンロ器体１２側のものが軸線が横向きになる軸流ファンとしてあるのに対し、軸線が縦向きとなる軸流ファンとしてある。これによりカセットコンロ１３１の扁平形状に対応できる。冷却通路２６を形成するためのカセットコンロ１３１の通気孔１６１、１６２はその底部壁に設けられ、コンロ器体１２の通気孔１６３〜１６６はコンロ器体１２の縦向き壁に形成されて、コンロ器体１２およびカセットコンロ１３１のトッププレート１３に、つまりそれらの上面にグリル部１０３の排気口１１６を除き、冷却用のための通気孔を設けなくてもよいので、冷却用の通気構造を通じてトッププレート１３上から水や異物が侵入するのを防止することができる。
【００４２】
図１０に示す例はカセットコンロ１３１側にあるコンロ器体１２との間のコネクタ１５６に電源コード１５５を接続して家庭用の電源を利用した卓上型での単独使用ができるようにした変形例を示している。
【００４３】
図１１に示す例では、カセットコンロ１３１を取り外したときの、コンロ器体１２側の専用の操作面１０１ａを、カセットコンロ１３１を含む全体を対象とした操作面１０１とは別に、カセットコンロ１３１を装着する凹部１３２の底部壁で形成してある。これにより、操作面１０１ａはカセットコンロ１３１が取り外されないと操作できないので、カセットコンロ１３１を含めた全体を対象にしたときの操作と、カセットコンロ１３１を取り外したときのコンロ器体１２側の単独操作とを切り換え使用するのに、使用者が困惑したり取り違えたりするのを防止することができる。
【００４４】
【発明の効果】
本発明の電磁誘導加熱コンロによれば、操作面での操作によって、ワークコイルに通電して被発熱調理体をワークコイルからの電磁誘導によって発熱させ加熱調理を行うが、前記操作面がコンロ器体の前部に水平または傾斜してほぼ上向きの状態にあることにより、コンロ器体の直前に立つ調理者はその場で見下ろすだけで操作面を十分に視認して必要な操作部の選択および操作位置の確認が容易かつ確実にできる上、自由度の高い人差し指で力の逃げなく容易かつ確実に押圧などの操作をすることができる。これらによって誤操作も防止できる。
【００４５】
操作面を、段差または前記傾斜によってトッププレートよりも低く設けた、さらなる構成によれば、
被発熱調理体がコンロ器体の輪郭部の外まわりから被発熱調理体が、平坦なトッププレートに沿って載せられたり持ち運ばれたりすることがあっても、トッププレートの下に操作面が位置していることによって前記のように載置され持ち運ばれることがある被発熱調理体に触れて損傷したり故障するようなことを回避することができる。
【００４６】
操作面の内側に設けた操作制御系の回路を搭載した操作制御系回路基板とトッププレートの下に設けたワークコイルの駆動制御系の回路を搭載した駆動制御系回路基板とを１つの回路基板で形成した、さらなる構成によれば、
トッププレートよりも前方に位置する操作面の内側に位置する操作制御系回路基板とワークコイルの駆動制御系回路基板とを１つの回路基板で形成していることにより、２種類の回路基板を１つの回路基板として生産し、取り扱い、組み付けることができ製品のコストを低減することができる。また、このような回路基板の一体化は駆動制御系回路基板部分が在来のものと同じ大きさおよび形状のものとしてトッププレートよりも前方に張り出して位置する操作面の内側に位置する操作制御系回路基板の側に、つまりコンロ器体の前部側に寄ることになって、コンロ器体の後部に空きスペースを作るので、電磁誘導加熱コンロに必須の発熱素子などのための冷却機構を設けやすい設計ができる。
【００４７】
操作制御系回路基板と駆動制御系回路基板とが平板状にまたは途中折れ曲がり部を持って連続している、さらなる構成によれば、
薄型の箱形状とされるコンロ器体内に水平に配置されることの多い大きくなりがちな駆動制御系回路基板に対し、操作面が水平であっても、傾斜していても対応することができ、操作パネルが水平であると操作制御系回路基板と駆動制御系回路基板とは単純な１枚の回路基板にて構成できる。途中折れ曲がり部を有したものでは操作面がコンロ器体の見やすく操作しやすい前部の上部側に設けられることに対応しやすい上、組み付け時に切り込みや切り目などに沿って途中を折り曲げるなどして容易に対応しやすく、このような折れ曲がりによってもジャンパー配線などしておくことで回路基板間の断線の問題を回避することができる。
【００４８】
操作制御系回路基板上のスイッチとこれに対応する操作面上の操作部とが直近で内外方向に対向し合っている、さらなる構成によれば、
操作面に直角な方向からの最も簡単で力を掛けやすい操作部の押圧操作を、この操作部の内側直近にあるスイッチに対し小さなストロークで、しかも前記押圧操作方向に一致する内外方向での対向関係により力の逃げなく確実に伝達するので、操作不足や操作不良が生じにくく容易かつ着実にスイッチ操作をすることができる。
【００４９】
ワークコイルを複数設け、駆動制御系回路基板はワークコイルごとに形成して上下に配置し、最上段の駆動制御系回路基板と操作制御系回路基板とを１つの基板で形成した、さらなる構成によれば、
ワークコイルが複数あるのに対応して、それぞれに個別の駆動制御系回路を形成することにより、複数の駆動制御系回路基板を上下に集約配置することにより、複数のワークコイルを設けることにより必要な駆動制御系回路基板の平面スペースを複数分の１に低減するとともに、発熱素子等の冷却に必要なスペースも小さく集約させることにより、ワークコイルの下に空きスペースを作って、グリルなどの他の調理スペースをコンロ器体の大型化なしに設けやすくすることができる。また、操作制御系回路基板を平面スペースが複数分の１と小さくなった１つの駆動制御系回路基板とで１つの回路基板とするので、操作制御系回路基板が水平に配置される場合でもコンロ器体の平面スペースを大型化する原因にはならないし、操作制御系回路基板と１つの回路基板にする駆動制御系回路基板は最上段のものであることにより、操作面がコンロ器体前部の見やすく操作しやすい上部側に設けられても対応することができる。
【００５０】
ワークコイルを複数設け、駆動制御系回路基板はワークコイルごとの駆動制御系回路を有して前記操作制御系回路基板と１つの回路基板で形成した、さらなる構成によれば、
例えば１つのワークコイル分の駆動制御系回路を搭載した駆動制御系回路基板を操作制御系回路基板と１つの回路基板で形成することにより、コンロ器体のトッププレートよりも前方に位置する操作面の側に寄って位置することになり、従来通りの大きさのトッププレートを有したコンロ器体であってもその後部に空きスペースを形成することができ、この空きスペース分を加えて残りのワークコイル１つまたはそれ以上分の駆動制御系回路も搭載でき、つまり、複数のワークコイル分の駆動制御系回路を操作制御系回路とともに１つの回路基板に搭載して、その下に空きスペースを作ることができ、これの冷却構造やトッププレート上からの漏水処理構造などを設けやすいし、設計の自由度を高めることができる。
【００５１】
表示部をコンロ器体の前部の縦壁部に設け、表示部内側の表示部品をほぼ水平で一体な操作制御系回路基板および駆動制御系回路基板から表示部の内側まで立ち上げて設けた、さらなる構成によれば、
ほぼ上向きの操作面に対し一部ないしは全体の表示部がコンロ器体の前部の縦壁部に設けられると、操作面と表示部とが区別して視認されるので、操作部と表示部で複雑で見にくくなりがちな多機能機種での操作面が視認しやすく操作しやすいものとなるし、ほぼ上向きの操作面に対して表示部が縦向き壁に設けるため互いが立体配置になって操作面を操作するのに表示が隠れにくく、見やすいために、さらに操作しやすく誤操作されにくい。
【００５２】
コンロ器体の前面部に操作面と並ぶ開閉口を有したグリル部を備え、このグリル部は前記操作面とほぼ面一に並ぶ面を有する前部形状を持ち、操作面と面一な面を利用したほぼ上向きの窓を少なくとも有している、さらなる構成によれば、ほぼ上向きの操作面を有しながら、これにグリルの窓部が面一となってすっきりした外観を呈するとともに、操作面同様にほぼ上向きな窓を少なくとも有していることにより、単に縦壁部に設けられる窓の場合に比して、窓の真下はもとより奥側でも斜め上方から容易に視認でき、窓が縦向き壁、特に後部上向きの縦壁部にも及んで広がっていることにより、内部の最奥部を含む広域、全域がより死角なくさらに視認しやすくなる。
【図面の簡単な説明】
【図１】本発明の実施例に係る電磁誘導加熱コンロの１つの例を使用状態で示す断面図。
【図２】図１のコンロの斜視図。
【図３】本発明の実施例に係る電磁誘導加熱コンロの別の例を示す断面図。
【図４】本発明の実施例に係る電磁誘導加熱コンロの他の例を示す断面図。
【図５】図４のコンロの斜視図。
【図６】本発明の実施例に係る電磁誘導加熱コンロの今１つの例を示す断面図。
【図７】図６のコンロの斜視図。
【図８】本発明の実施例に係る電磁誘導加熱コンロのさらに別の例を示す断面図。
【図９】図８のコンロのカセットコンロを取り外して見た斜視図。
【図１０】図８、図９のコンロのカセットコンロの変形例を示す斜視図。
【図１１】図８、図９の主として駆動系の電気回路図。
【図１２】本発明の実施例に係る電磁誘導加熱コンロのさらに他の例を示す断面図。
【符号の説明】
１　鍋
２　被調理物
１０　操作パネル
１２　コンロ器体
１３　トッププレート
１４　ワークコイル
１８　ＩＧＢＴ素子
２０　駆動制御系回路基板
２０ａ　　駆動制御系回路
２１　ファン
２６　冷却通路
１０１、１０１ａ　　操作面
１０２　開閉口
１０３　グリル部
１０６　スイッチ
１０７　キー
１０８　段差部
１１１　操作制御系回路基板
１１２　回路基板
１２１　途中折れ曲がり部
１３１　カセットコンロ
１３１ａ　　面
１４１　窓
１４４　表示部
【図１】
2004039356.tif 000003
【図２】
2004039356.tif 000004
【図３】
2004039356.tif 000005
【図４】
2004039356.tif 000006
【図５】
2004039356.tif 000007
【図６】
2004039356.tif 000008
【図７】
2004039356.tif 000009
【図８】
2004039356.tif 000010
【図９】
2004039356.tif 000011
【図１０】
2004039356.tif 000012
【図１１】
2004039356.tif 000013
【図１２】
2004039356.tif 000014